(57)【要約】脱硫部及び冷却部を有する脱硫塔と、ＣＯ２吸収部、および吸収液処理部を有する吸収塔と、再生塔と、前記脱硫部へ導入される前の排ガスと水とを接触させて、前記酸性水を製造する酸性水製造装置を備え、前記排ガスと接触させる水が、前記脱硫塔、前記吸収塔又は前記再生塔で発生する凝縮水であるＣＯ２回収装置。
2014061471.tif 000002
【特許請求の範囲】
【請求項１】
排ガス中の硫黄分を除去する脱硫部と前記脱硫部で硫黄分が除去された脱硫排ガスを冷却水により冷却する冷却部を有する脱硫塔と、
前記脱硫塔により硫黄分が除去された脱硫排ガスと塩基性アミン化合物吸収液とを接触させて、当該脱硫排ガス中のＣＯ２を当該塩基性アミン化合物吸収液に吸収させるＣＯ２吸収部、前記ＣＯ２吸収部でＣＯ２が除去された脱炭酸排ガスと洗浄水とを接触させて当該脱炭酸排ガスを洗浄する洗浄部、および前記ＣＯ２吸収部によりＣＯ２が吸収された脱炭酸排ガスを酸性水と接触させて、当該脱炭酸排ガスに同伴する塩基性アミン化合物を排ガスから除去する吸収液処理部を有する吸収塔と、
ＣＯ２を吸収した前記塩基性アミン化合物吸収液を加熱して、この吸収液からＣＯ２を分離後、除去することにより、ＣＯ２ガスを排出するとともに、吸収液を再生する再生塔と、
前記脱硫部へ導入される前の前記排ガスと水とを接触させて、前記酸性水を製造する酸性水製造装置を備え、
前記排ガスと接触させる水が、前記脱硫塔、前記吸収塔又は前記再生塔で発生する凝縮水であるＣＯ２回収装置。
【請求項２】
前記酸性水製造装置が前記脱硫塔内に配置される、請求項１記載のＣＯ２回収装置。
【請求項３】
前記酸性水製造装置中の酸性水の水位を測定する水位センサー（water level sensor）と、酸性水のｐＨ値を測定するｐＨセンサーと、前記水位センサーとｐＨセンサーの測定値に基づいて、酸性水製造装置へ供給する前記排ガスと前記凝縮水と酸性水製造装置からの排水を調整して酸性水のｐＨ値と水位とを制御する第１制御部と、を備える請求項１記載のＣＯ２回収装置。
【請求項４】
前記吸収液処理部を循環する酸性水のｐＨ値を測定するｐＨセンサーと、前記吸収液処理部へ供給する酸性水の流量を測定するフローセンサー（flow sensor）と、前記ｐＨセンサーの測定値に基づいて、前記吸収液処理部へ供給する酸性水の流量を調整して前記脱炭酸排ガスと接触させる酸性水のｐＨ値と流量とを制御する第２制御部と、を備える請求項１記載のＣＯ２回収装置。
【請求項５】
ＣＯ２回収方法であって、
排ガス中の硫黄分を除去する脱硫工程と、
排ガスを冷却する冷却工程と、
前記脱硫工程で硫黄分が除去された脱硫排ガスと塩基性アミン化合物吸収液とを接触させて、当該脱硫排ガス中のＣＯ２を当該塩基性アミン化合物吸収液に吸収させるＣＯ２吸収工程と、
ＣＯ２を吸収した吸収液を加熱して、この吸収液からＣＯ２を分離後、除去することにより、ＣＯ２ガスを排出するとともに、吸収液を再生する再生工程と、
前記ＣＯ２吸収工程でＣＯ２が除去された脱炭酸排ガスと洗浄水とを接触させて、当該脱炭酸排ガスを洗浄する洗浄工程と、
前記洗浄工程後の脱炭酸排ガスを酸性水と接触させて、当該脱炭酸排ガスに同伴する塩基性アミン化合物を排ガスから除去する除去工程と、
前記脱硫工程へ導入される前の前記排ガスと、前記脱硫工程、前記冷却工程、前記ＣＯ２吸収工程、再生工程または洗浄工程で発生する凝縮水とを接触させて、前記酸性水を製造する酸性水製造工程を含むＣＯ２回収方法。
【請求項６】
前記酸性水製造工程は、酸性水の水量を測定する工程と、酸性水のｐＨ値を測定する工程と、前記水量とｐＨの測定値に基づいて排ガスと水との接触を制御して酸性水の水量とｐＨを調整する工程と、を含む請求項５記載のＣＯ２回収方法。
【請求項７】
前記除去工程は、酸性水を循環させて脱炭酸排ガスと接触させる循環工程と、循環する酸性水のｐＨ値を測定する工程と、前記ｐＨの測定値に基づいて前記循環する酸性水へ新たな酸性水を供給する工程と、前記新たな酸性水の供給量を測定する工程と、前記ｐＨの測定値に基づいて前記新たな酸性水の供給量を制御する工程と、を含む請求項５記載のＣＯ２回収方法。
【発明の詳細な説明】
【技術分野】
【０００１】
本発明は、ＣＯ２回収装置およびＣＯ２回収方法に関し、特に、吸収液と接触してＣＯ２を除去された脱炭酸排ガスに残存して放出される塩基性アミン化合物類の濃度を低減するＣＯ２回収装置およびＣＯ２回収方法に関する。
【背景技術】
【０００２】
地球の温暖化現象の原因の一つとして、ＣＯ２による温室効果が指摘され、その対策が急務となっている。ＣＯ２の発生源としては、化石燃料を燃焼させるあらゆる人間の活動分野に及び、その排出抑制への要求が一層強まる傾向にある。これに伴い、大量の化石燃料を使用する火力発電所などの動力発生設備を対象に、ボイラの排ガスをアミン化合物水溶液などのアミン系吸収液と接触させ、排ガス中のＣＯ２を除去し回収する方法が研究されている。【０００３】
このようなアミン系吸収液を用いて排ガスからＣＯ２を回収する場合、ＣＯ２が回収された脱炭酸排ガスに、アミン化合物が同伴してしまう。同伴したアミン化合物による大気汚染が発生する事態を防ぐため、脱炭酸排ガスと共に放出されるアミン化合物の放出量を低減する必要がある。【０００４】
特開平１０−３３９３８号公報では、アミン化合物を捕集する技術として、吸収液との気液接触によりＣＯ２が吸収除去された脱炭酸排ガスに対して硫酸を噴霧させることで、脱炭酸排ガスに同伴されたアミン化合物を塩基性アミン化合物硫酸塩にした後、塩基性アミン化合物硫酸塩を含む脱炭酸排ガスをデミスタに通過させることで、脱炭酸排ガスから塩基性アミン化合物硫酸塩を捕集することが開示されている。【０００５】
このような構成のＣＯ２吸収装置では、排出されるガスに同伴するＣＯ２吸収液に由来する塩基性アミン化合物の濃度をできるだけ低くすることが求められる。特に、将来予想される処理ガス流量の多い火力発電所などの排ガスに対して、ＣＯ２回収装置を設置する場合、排ガスの放出量が多量であることから、脱炭酸排ガスに残存して放出される吸収液成分の放出量が増加する傾向にあり、放出される吸収液成分の濃度をより一層低減することが必要である。【０００６】
特開２０１１−１１５７２４号公報では、吸収液成分の濃度をより一層低減する技術が開示されている。具体的には、排ガスと塩基性アミン化合物吸収液とを接触させて前記排ガス中のＣＯ２を前記塩基性アミン化合物吸収液に吸収させるＣＯ２吸収部、および前記ＣＯ２吸収部でＣＯ２を除去された脱炭酸排ガスと洗浄水とを接触させて前記脱炭酸排ガスに同伴する塩基性アミン化合物類を除去する少なくとも一つ以上の水洗部を有する吸収塔を備えるＣＯ２回収装置が開示されている。このＣＯ２回収装置は、前記水洗部の脱炭酸排ガスの流れの後段に、前記脱炭酸排ガスと循環する酸性水とを接触させて前記脱炭酸排ガスに同伴する塩基性アミン化合物類をさらに除去する吸収液処理部を備えることを特徴とする。この装置によれば、脱炭酸排ガスに残存して放出される吸収液成分の濃度をより一層低減することができる。
【発明の概要】
【発明が解決しようとする課題】
【０００７】
吸収液処理部を備えるＣＯ２回収装置では、脱炭酸排ガスと接触させる硫酸等の酸性水を購入し、塩基性アミン化合物類を除去するために、ＣＯ２回収装置に供給する。塩基性アミン化合物類の除去に用いた酸性水は、排水することとなる。ここで、酸性水はプロセス外の水であり、プロセス水の排水の他に酸性水を排水することとなるため、排水の総量が増加してしまう。【０００８】
本発明は、上記の問題点を解決するべく、コストや排水の総量を抑えることが可能な、吸収液処理部を備えるＣＯ２回収装置、およびＣＯ２回収方法を提供することを目的とする。【０００９】
上記の目的を達成するために、本発明に係るＣＯ２回収装置は、排ガス中の硫黄分を除去する脱硫部と前記脱硫部で硫黄分が除去された脱硫排ガスを冷却水により冷却する冷却部を有する脱硫塔と、前記脱硫塔により硫黄分が除去された脱硫排ガスと塩基性アミン化合物吸収液とを接触させて、当該脱硫排ガス中のＣＯ２を当該塩基性アミン化合物吸収液に吸収させるＣＯ２吸収部、前記ＣＯ２吸収部でＣＯ２が除去された脱炭酸排ガスと洗浄水とを接触させて当該脱炭酸排ガスを洗浄する洗浄部、および前記ＣＯ２吸収部によりＣＯ２が吸収された脱炭酸排ガスを酸性水と接触させて、当該脱炭酸排ガスに同伴する塩基性アミン化合物を排ガスから除去する吸収液処理部を有する吸収塔と、ＣＯ２を吸収した前記塩基性アミン化合物吸収液を加熱して、この吸収液からＣＯ２を分離後、除去することにより、ＣＯ２ガスを排出するとともに、吸収液を再生する再生塔と、前記脱硫部へ導入される前の前記排ガスと水とを接触させて、前記酸性水を製造する酸性水製造装置を備え、前記排ガスと接触させる水が、前記脱硫塔、前記吸収塔又は前記再生塔で発生する凝縮水である。【００１０】
また、本発明に係るＣＯ２回収方法は、排ガス中の硫黄分を除去する脱硫工程と、排ガスを冷却する冷却工程と、前記脱硫工程で硫黄分が除去された脱硫排ガスと塩基性アミン化合物吸収液とを接触させて、当該脱硫排ガス中のＣＯ２を当該塩基性アミン化合物吸収液に吸収させるＣＯ２吸収工程と、ＣＯ２を吸収した吸収液を加熱して、この吸収液からＣＯ２を分離後、除去することにより、ＣＯ２ガスを排出するとともに、吸収液を再生する再生工程と、前記ＣＯ２吸収工程でＣＯ２が除去された脱炭酸排ガスと洗浄水とを接触させて、当該脱炭酸排ガスを洗浄する洗浄工程と、前記洗浄工程後の脱炭酸排ガスを酸性水と接触させて、当該脱炭酸排ガスに同伴する塩基性アミン化合物を排ガスから除去する除去工程と、前記脱硫工程へ導入される前の前記排ガスと、前記脱硫工程、前記冷却工程、前記ＣＯ２吸収工程、再生工程または洗浄工程で発生する凝縮水とを接触させて、前記酸性水を製造する酸性水製造工程を含む。
【発明の効果】
【００１１】
脱硫処理前の排ガスの硫化物とプロセス中の冷却水を原料として酸性水を製造することにより、酸性水の購入コストや、排水の総量を抑えることができる。
【図面の簡単な説明】
【００１２】
【図１】図１は、本発明の実施の形態に係るＣＯ２回収装置の概略図である。
【図２】図２は、図１とは異なる形態の本発明の実施の形態に係るＣＯ２回収装置の概略図である。
【図３】図３は、図１、図２とは異なる形態の本発明の実施の形態に係るＣＯ２回収装置の概略図である。
【発明を実施するための形態】
【００１３】
以下に、本発明に係るＣＯ２回収装置およびＣＯ２回収方法について、その一般的形態を詳細に説明する。なお、この実施の形態により本発明が限定されるものではない。また、下記実施の形態における構成要素には、当業者が置換可能かつ容易なもの、あるいは実質的に同一のものが含まれる。
【００１４】
まず、本発明のＣＯ２回収装置は、脱硫塔、吸収塔、再生塔、および酸性水製造装置を基本構成とする。脱硫塔は、少なくとも脱硫部と冷却部を有する。脱硫部は、排ガス中の硫黄分を除去する部分であり、冷却部は、前記脱硫部で硫黄分が除去された脱硫排ガスを冷却水により冷却する部分である。脱硫排ガスの温度が高い場合には、ＣＯ２を吸収する効率が低下するため，前記吸収液と脱硫排ガスを接触させる前に、冷却部により脱硫排ガスを冷却しておくことができる。
【００１５】
吸収塔は、ＣＯ２吸収部、洗浄部、および吸収液処理部を少なくとも有する。ＣＯ２吸収部は、前記脱硫塔により硫黄分が除去された脱硫排ガスと塩基性アミン化合物吸収液とを接触させて、当該脱硫排ガス中のＣＯ２を当該塩基性アミン化合物吸収液に吸収させる部分である。洗浄部は、前記ＣＯ２吸収部でＣＯ２が除去された脱炭酸排ガスと洗浄水とを接触させて、当該脱炭酸排ガスを洗浄する。洗浄により、脱炭酸排ガスに同伴した塩基性アミン化合物吸収液を除去することができる。吸収液処理部は、前記ＣＯ２吸収部によりＣＯ２が吸収された脱炭酸排ガスを酸性水と接触させて、当該脱炭酸排ガスに同伴する塩基性アミン化合物を排ガスから除去する部分である。
【００１６】
再生塔は、ＣＯ２を吸収した前記塩基性アミン化合物吸収液を加熱して、この吸収液からＣＯ２を分離後、除去することにより、ＣＯ２ガスを排出するとともに、吸収液を再生する塔である。
【００１７】
本発明のＣＯ２回収装置は、前記脱硫装置へ導入される前の前記排ガスと水とを接触させて、前記酸性水を製造する酸性水製造装置を備える。酸性水製造装置によって、脱硫処理前の排ガスが含む硫化物を原料とし、この硫化物と水とを接触させて酸性水を製造することができる。この酸性水製造装置により、酸性水の購入コストを抑えることができる。酸性水製造装置の具体例としては、スクラバ、充填塔、ジェットバルブリアクタなどが挙げられる。
【００１８】
前記排ガスと接触させる水が、前記脱硫塔、前記吸収塔又は前記再生塔で発生する凝縮水である。前記凝縮水を用いれば、酸性水を製造するために脱硫塔の系外から水を補給する必要がないため、排水の総量を抑えることができる。
【００１９】
前記酸性水製造装置は、前記脱硫塔内に配置することができる。酸性水製造装置を脱硫塔内に配置することにより、酸性水製造装置の設置面積を低減することができる。
【００２０】
本発明のＣＯ２回収装置は、前記酸性水に硫酸を添加する硫酸補給タンクを備えることができる。排ガス中の硫化物や冷却水の量が少ない場合には、塩基性アミン化合物の除去に十分な酸性水を、酸性水製造装置にて製造することができない。この場合に、硫酸補給タンクを備えていれば、硫酸を添加することで塩基性アミン化合物の中和に十分な酸性水を供給することができる。
【００２１】
本発明のＣＯ２回収装置は、前記酸性水製造装置中の酸性水の水位を測定する水位センサー（water level sensor）と、酸性水のｐＨ値を測定するｐＨセンサーと、前記水位センサーとｐＨセンサーの測定値に基づいて、酸性水製造装置へ供給する前記排ガスと前記凝縮水と酸性水製造装置からの排水とを調整して酸性水のｐＨ値と水位とを制御する第１制御部と、をさらに備えることができる。これらを備えることにより、酸性水の製造を管理することができるからである。
【００２２】
本発明のＣＯ２回収装置は、前記吸収液処理部を循環する酸性水のｐＨ値を測定するｐＨセンサーと、前記吸収液処理部へ供給する酸性水の流量を測定するフローセンサー（flow sensor）と、前記ｐＨセンサーの測定値に基づいて、前記吸収液処理部へ供給する酸性水の流量を調整して前記脱炭酸排ガスと接触させる酸性水のｐＨ値と流量とを制御する第２制御部と、をさらに備えることができる。これらを備えることにより、塩基性アミン化合物の除去に十分な酸性水を無駄なく吸収液処理部へ供給することができるからである。
【００２３】
本発明のＣＯ２回収装置は、基本構成となる脱硫塔、吸収塔、再生塔、酸性水製造装置の他、他の設備を有することができる。
【００２４】
次に、本発明のＣＯ２回収方法について説明する。本発明のＣＯ２回収方法は、脱硫工程と、冷却工程と、ＣＯ２吸収工程と、再生工程と、洗浄工程と、除去工程と、酸性水製造工程を少なくとも含む。
【００２５】
脱硫工程は、排ガス中の硫黄分を除去する工程である。冷却工程は、前記脱硫工程で硫黄分が除去された脱硫排ガスを冷却水により冷却する工程である。塩基性アミン化合物吸収液中のアミン化合物は、熱により分解してしまう。そのため、脱硫排ガスの温度が高い場合には、前記吸収液と脱硫排ガスを接触させる前に、冷却工程により脱硫排ガスを冷却しておくことができる。
【００２６】
ＣＯ２吸収工程は、前記脱硫工程で硫黄分が除去された脱硫排ガスと塩基性アミン化合物吸収液とを接触させて、当該脱硫排ガス中のＣＯ２を当該塩基性アミン化合物吸収液に吸収させる工程である。
【００２７】
再生工程は、ＣＯ２を吸収した吸収液を加熱して、この吸収液からＣＯ２を分離後、除去することにより、ＣＯ２ガスを排出するとともに、塩基性アミン化合物吸収液がＣＯ２を吸収できるよう前記吸収液を再生する工程である。
【００２８】
洗浄工程は、前記ＣＯ２吸収工程と除去工程との間に、前記ＣＯ２吸収工程でＣＯ２が除去された脱炭酸排ガスと洗浄水とを接触させて、当該脱炭酸排ガスを洗浄する工程である。前記洗浄工程により、脱炭酸排ガスに同伴した塩基性アミン化合物吸収液を除去することができる。
【００２９】
除去工程は、前記ＣＯ２吸収工程でＣＯ２が除去された脱炭酸排ガスを酸性水と接触させて、当該脱炭酸排ガスに同伴する塩基性アミン化合物を排ガスから除去する工程である。
【００３０】
酸性水製造工程は、前記脱硫工程へ導入される前の前記排ガスと、前記脱硫工程、前記冷却工程、前記ＣＯ２吸収工程又は再生工程で発生する凝縮水とを接触させて、前記酸性水を製造する工程である。脱硫処理前の排ガスが含む硫化物を原料とし、この硫化物と前記凝縮水とを接触させて酸性水を製造することができる。この工程により、酸性水の購入コストを抑えることができる。
【００３１】
本発明のＣＯ２回収方法は、前記処理工程の前に、前記酸性水に硫酸を添加する硫酸添加工程を含むことができる。排ガス中の硫化物や冷却水の量が少ない場合には、酸性水製造工程において塩基性アミン化合物の除去に十分な酸性水を製造することができない。この場合に、硫酸添加工程により硫酸を添加することで、塩基性アミン化合物の除去に十分な酸性水を供給することができる。
【００３２】
本発明のＣＯ２回収方法において、前記酸性水製造工程は、酸性水の水量を測定する工程と、酸性水のｐＨ値を測定する工程と、前記水量とｐＨの測定値に基づいて排ガスと水との接触を制御して酸性水の水量とｐＨを調整する工程と、を含むことができる。これらの工程を含むことにより、酸性水の製造を管理することができる。
【００３３】
本発明のＣＯ２回収方法において、前記除去工程は、酸性水を循環させて脱炭酸排ガスと接触させる循環工程と、循環する酸性水のｐＨ値を測定する工程と、前記ｐＨの測定値に基づいて前記循環する酸性水へ新たな酸性水を供給する工程と、前記新たな酸性水の供給量を測定する工程と、前記ｐＨの測定値に基づいて前記新たな酸性水の供給量を制御する工程と、を含むことができる。これらの工程を含むことにより、塩基性アミン化合物の除去に十分な酸性水を無駄なく脱炭酸排ガスと接触させることができる。
【００３４】
本発明のＣＯ２回収方法は、脱硫工程、冷却工程、ＣＯ２吸収工程、再生工程、除去工程、酸性水製造工程の他、他の工程を含むことができる。
【００３５】
以下に、本発明に係る実施の形態を図面に基づいて詳細に説明する。なお、この図面により本発明が限定されるものではない。
【００３６】
図１は、本実施の形態に係るＣＯ２回収装置の概略図である。脱硫塔１０、吸収塔２０、再生塔５０、および酸性水製造装置３０を基本構成とする。
【００３７】
脱硫塔１０は、脱硫装置１１と冷却装置１２を有する。脱硫装置１１は、排ガス中の硫黄分を除去する装置である。脱硫装置１１を用いた硫黄分の除去方法としては、例えば、石灰石（ＣａＣＯ３）を水に懸濁させた石灰石スラリーを排ガスと接触させ、排ガス中の亜硫酸ガス（ＳＯ２）を吸収除去する方法を用いることができる。
【００３８】
そして、冷却装置１２は、脱硫装置１１で硫黄分が除去された脱硫排ガスを冷却水により冷却する装置である。吸収塔２０でのＣＯ２を吸収する効率を向上させるため、冷却装置１２で脱硫排ガスを冷却する。脱硫排ガスは冷却部１３で冷却水と接触する。脱硫排ガスは冷却水で冷却されて、同伴する水蒸気が凝縮する。この凝縮水と冷却水は冷却部１３より排出される。排出された凝縮水は、冷却水循環ポンプ１４により冷却水管１５を通って冷却部１３の上部へ運ばれる。その途中で、凝縮水と使用された冷却水はクーラー１６により冷却され、再び冷却水となって新たな脱硫排ガスを冷却する。
【００３９】
吸収塔２０は、ＣＯ２吸収部２１、洗浄部２２、および吸収液処理部２３を有する。ＣＯ２吸収部２１は、前記脱硫塔１０により冷却された脱硫排ガスと塩基性アミン化合物吸収液とを接触させて、当該脱硫排ガス中のＣＯ２を当該塩基性アミン化合物吸収液に吸収させる部分である。
【００４０】
脱硫排ガスと接触した塩基性アミン化合物吸収液は、ＣＯ２吸収部２１より排出される。排出された塩基性アミン化合物吸収液は、吸収液循環ポンプ２１ａにより吸収液管２１ｂを通って再生塔５０へ運ばれる。
【００４１】
洗浄部２２は、ＣＯ２吸収部２１でＣＯ２が除去された脱炭酸排ガスと洗浄水とを接触させて、脱炭酸排ガスを洗浄する部分である。
【００４２】
脱炭酸排ガスと接触した洗浄水は、凝縮水となって洗浄部２２より排出される。排出された凝縮水は、洗浄水循環ポンプ２２ａにより洗浄水管２２ｂを通って洗浄部２２の上部へ運ばれる。その途中で、凝縮水はクーラー２２ｃにより冷却され、洗浄水となって新たな脱炭酸排ガスを洗浄する。また、凝縮水の一部は酸性水製造装置３０へ送られる。
【００４３】
吸収液処理部２３は、洗浄部２２により洗浄された脱炭酸排ガスを酸性水と接触させて、脱炭酸排ガスに同伴する塩基性アミン化合物を中和する部分である。
【００４４】
洗浄部２２で洗浄された脱炭酸排ガスと接触した酸性水は、吸収液処理部２３より排出される。排出された酸性水は、酸性水循環ポンプ２３ａにより酸性水管２３ｂを通って吸収液処理部２３の上部へ運ばれ、新たな脱炭酸排ガスと接触する。繰り返し循環することで、塩基性アミン化合物を飽和近くまで中和した酸性水は、バルブ２３ｃを開放することにより、排水管２３ｅを介して排水処理部２３ｆへ排水される。
【００４５】
酸性水製造装置３０は、脱硫装置１０へ導入される前の排ガスと、冷却装置１２、洗浄部２２、または分離器６０の凝縮水とを接触させて、酸性水を製造する。排ガスは、ガス導入管３１により脱硫装置１０へ導入される。バルブ３２を開放することにより、脱硫装置１０へ導入される排ガスの一部を酸性水製造装置３０へ導入する。また、バルブ３３を開放することで、凝縮水を酸性水製造装置３０へ導入する。酸性水製造装置中の酸性水の量を水位センサー３４で測定し、酸性水のｐＨはｐＨセンサー３５で測定する。これらのセンサーで測定した酸性水の水量やｐＨの値に応じて、バルブ３２、３３を開閉し、酸性水の水量とｐＨを制御する。また、過剰量の酸性水は、バルブ３６を開放することにより、脱硫装置１１の石灰石スラリータンク１７へ導入することができる。酸性水の水量やｐＨの制御、および過剰量の酸性水の石灰石スラリータンク１７への導入は、制御部３７により行われる。
【００４６】
酸性水製造装置３０で製造された酸性水は、酸性水輸送ポンプ４０により酸性水輸送管４１を介して酸性水管２３ｂへ供給される。吸収液処理部２３を循環する酸性水のｐＨ値は、ｐＨセンサー４２にて測定する。また、酸性水管２３ｂへ供給する酸性水の流量は、フローセンサー４３にて測定する。ｐＨセンサー４２の測定値に基づいて、酸性水管２３ｂへ供給する酸性水の流量を調整することにより、脱炭酸排ガスと接触させる酸性水のｐＨ値と供給流量とを、バルブ２３ｃおよびバルブ４５の開閉により制御する。酸性水のｐＨ値と流量の前記制御、および排水するためのバルブ２３ｄの開閉は、制御部４４により行われる。
【００４７】
再生塔５０は、ＣＯ２を吸収した塩基性アミン化合物吸収液からＣＯ２を放出させて、塩基性アミン化合物吸収液がＣＯ２を吸収できるよう再生する設備である。ＣＯ２を吸収した塩基性アミン化合物吸収液は、吸収液循環ポンプ２１ａにより吸収液管２１ｂから熱交換器５１を経由し、吸収液管５２を通って再生塔５０に送られる。再生塔５０に送られた塩基性アミン化合物吸収液は、下部充填層５３を通過しつつ、再生塔５０の下部に接続されたリボイラ５４による加熱によりＣＯ２ガスが放出され、その後再生塔５０内の底部５５に貯留される。底部５５に貯留されたＣＯ２ガスを放出した塩基性アミン化合物吸収液は、吸収液管５６を通り、吸収液管２１ｂを経由して吸収塔２０へ供給される。その途中で、塩基性アミン化合物吸収液はクーラー２１ｃにより冷却され、新たな脱硫排ガスと接触する。放出されたＣＯ２ガスは、再生塔５０を上昇し、上部充填層５７を経て、再生塔５０の頂部より排出管５８を通って排出される。ここで、排出されるＣＯ２ガスには水分が含まれているため、コンデンサ５９にて冷却して凝縮水とする。この凝縮水とＣＯ２ガスは、分離器６０にて分離する。高純度となったＣＯ２ガスはバルブ６１を開放して回収される。凝縮水の一部は酸性水製造装置３０へ送られる。または還流水として還流水管６２を通って再生塔５０へ送られる。
【００４８】
図２は、図１とは異なる形態の本発明の実施の形態に係るＣＯ２回収装置の概略図である。脱硫塔１０、吸収塔２０、再生塔５０、および酸性水製造装置３０を基本構成とする点は図１のＣＯ２回収装置と同様であり、図１と同じ符号を付し、ここでは説明を省略する。排ガスに同伴される塩基性アミン化合物の量が多い場合，吸収液処理部２３へ供給する酸性水の量が多くなる。一方で，排ガス中の硫黄分が少ない場合，酸性水の製造量が減少する。そこで，硫酸などの酸を，酸性水製造装置で製造した酸性水に添加することにより，ｐＨを低く維持し，吸収液処理部２３に酸性水を供給しても良い。図２のＣＯ２回収装置は、酸性水に添加する硫酸を蓄える硫酸補給タンク７０をさらに備える。塩基性アミン化合物の除去に必要な量の酸性水を、酸性水製造装置３０にて十分に製造することができない場合や、酸性水製造装置３０で製造した酸性水のｐＨ値が高い場合には、バルブ７１を閉めてバルブ７２を開放し、硫酸補給タンク７０から硫酸導入管７３を介して硫酸が酸性水に加えられる。バルブ７１、７２の開閉は、制御部７４により行われる。
【００４９】
図３は、図１、図２とは異なる形態の本発明の実施の形態に係るＣＯ２回収装置の概略図である。脱硫塔１０、吸収塔２０、および再生塔５０を基本構成とする点は図１のＣＯ２回収装置と同様であり、図１と同じ符号を付し、ここでは説明を省略する。図３のＣＯ２回収装置は、図１、図２に示すＣＯ２回収装置とは異なり、酸性水製造装置７５を脱硫塔２０内に配置している。
【００５０】
酸性水製造装置７５は、脱硫装置１０へ導入される排ガスを分取し、冷却装置１２、洗浄部２２、または分離器６０の凝縮水と接触させて、酸性水を製造する。排ガスは、ガス導入管７６により酸性水製造装置７５へ導入される。バルブ７７を閉鎖することにより、脱硫装置１０へ導入される排ガスの一部を酸性水製造装置７５へ導入する。また、バルブ７８を開放することで、凝縮水を酸性水製造装置７５へ導入する。酸性水製造装置中の酸性水の量を水位センサー７９で測定し、酸性水のｐＨはｐＨセンサー８０で測定する。これらのセンサーで測定した酸性水の水量やｐＨの値に応じて、バルブ７７、７８を開閉し、酸性水の水量とｐＨを制御する。酸性水の水量やｐＨの制御は、制御部８１により行われる。酸性水製造装置７５で製造された酸性水は、酸性水輸送ポンプ４０により酸性水輸送管４１を介して酸性水管２３ｂへ供給される。
【００５１】
ここまで本発明の実施形態について述べたが、本発明は既述の実施形態に限定されるものではなく、本発明の技術的思想に基づいて各種の変形及び変更が可能である。
【符号の説明】
【００５２】
１０    脱硫塔
１１    脱硫装置
１２    冷却装置
１３    冷却部
１４    冷却水循環ポンプ
１５    冷却水管
１６    クーラー
１７    石灰石スラリータンク
２０    吸収塔
２１    ＣＯ２吸収部
２１ａ  吸収液循環ポンプ
２１ｂ  吸収液管
２１ｃ  クーラー
２２    洗浄部
２２ａ  洗浄水循環ポンプ
２２ｂ  洗浄水管
２２ｃ  クーラー
２３    吸収液処理部
２３ａ  酸性水循環ポンプ
２３ｂ  酸性水管
２３ｃ  バルブ
２３ｄ  バルブ
２３ｅ  排水管
２３ｆ  排水処理部
３０    酸性水製造装置
３１    ガス導入管
３２    バルブ
３３    バルブ
３４    水位センサー
３５    ｐＨセンサー
３６    バルブ
３７    制御部
４０    酸性水輸送ポンプ
４１    酸性水輸送管
４２    ｐＨセンサー
４３    フローセンサー
４４    制御部
４５    バルブ
５０    再生塔
５１    熱交換器
５２    吸収液管
５３    下部充填層
５４    リボイラ
５５    底部
５６    吸収液管
５７    上部充填層
５８    排出管
５９    コンデンサ
６０    分離器
６１    バルブ
６２    還流水管
７０    硫酸補給タンク
７１    バルブ
７２    バルブ
７３    硫酸導入管
７４    制御部
７５    酸性水製造装置
７６    ガス導入管
７７    バルブ
７８    バルブ
７９    水位センサー
８０    ｐＨセンサー
８１    制御部
【図１】
2014061471.tif 000003
【図２】
2014061471.tif 000004
【図３】
2014061471.tif 000005
【手続補正書】
【提出日】平成28年5月20日(2016.5.20)
【手続補正１】
【補正対象書類名】特許請求の範囲
【補正対象項目名】全文
【補正方法】変更
【補正の内容】
【特許請求の範囲】
【請求項１】
排ガス中の硫黄分を除去する脱硫部と前記脱硫部で硫黄分が除去された脱硫排ガスを冷却水により冷却する冷却部を有する脱硫塔と、
前記脱硫塔により硫黄分が除去された脱硫排ガスと塩基性アミン化合物吸収液とを接触させて、当該脱硫排ガス中のＣＯ２を当該塩基性アミン化合物吸収液に吸収させるＣＯ２吸収部、前記ＣＯ２吸収部でＣＯ２が除去された脱炭酸排ガスと洗浄水とを接触させて当該脱炭酸排ガスを洗浄する洗浄部、および前記ＣＯ２吸収部によりＣＯ２が吸収された脱炭酸排ガスを酸性水と接触させて、当該脱炭酸排ガスに同伴する塩基性アミン化合物を排ガスから除去する吸収液処理部を有する吸収塔と、
ＣＯ２を吸収した前記塩基性アミン化合物吸収液を加熱して、この吸収液からＣＯ２を分離後、除去することにより、ＣＯ２ガスを排出するとともに、吸収液を再生する再生塔と、
前記脱硫部へ導入される前の前記排ガスと水とを接触させて、前記酸性水を製造する酸性水製造装置であって、前記脱硫塔内に配置される酸性水製造装置を備え、
前記排ガスと接触させる水が、前記脱硫塔、前記吸収塔又は前記再生塔で発生する凝縮水であるＣＯ２回収装置。
【請求項２】
前記酸性水製造装置中の酸性水の水位を測定する水位センサー（water level sensor）と、酸性水のｐＨ値を測定するｐＨセンサーと、前記水位センサーとｐＨセンサーの測定値に基づいて、酸性水製造装置へ供給する前記排ガスと前記凝縮水と酸性水製造装置からの排水を調整して酸性水のｐＨ値と水位とを制御する第１制御部と、を備える請求項１記載のＣＯ２回収装置。
【請求項３】
前記吸収液処理部を循環する酸性水のｐＨ値を測定するｐＨセンサーと、前記吸収液処理部へ供給する酸性水の流量を測定するフローセンサー（flow sensor）と、前記ｐＨセンサーの測定値に基づいて、前記吸収液処理部へ供給する酸性水の流量を調整して前記脱炭酸排ガスと接触させる酸性水のｐＨ値と流量とを制御する第２制御部と、を備える請求項１記載のＣＯ２回収装置。
【請求項４】
ＣＯ２回収方法であって、
排ガス中の硫黄分を除去する脱硫工程と、
排ガスを冷却する冷却工程と、
前記脱硫工程で硫黄分が除去された脱硫排ガスと塩基性アミン化合物吸収液とを接触させて、当該脱硫排ガス中のＣＯ２を当該塩基性アミン化合物吸収液に吸収させるＣＯ２吸収工程と、
ＣＯ２を吸収した吸収液を加熱して、この吸収液からＣＯ２を分離後、除去することにより、ＣＯ２ガスを排出するとともに、吸収液を再生する再生工程と、
前記ＣＯ２吸収工程でＣＯ２が除去された脱炭酸排ガスと洗浄水とを接触させて、当該脱炭酸排ガスを洗浄する洗浄工程と、
前記洗浄工程後の脱炭酸排ガスを酸性水と接触させて、当該脱炭酸排ガスに同伴する塩基性アミン化合物を排ガスから除去する除去工程と、
前記脱硫工程へ導入される前の前記排ガスと、前記脱硫工程、前記冷却工程、前記ＣＯ２吸収工程、再生工程または洗浄工程で発生する凝縮水とを接触させて、前記酸性水を酸性水製造装置によって製造する酸性水製造工程であって、前記酸性水製造装置として、前記脱硫塔内に配置される酸性水製造装置を使用する酸性水製造工程を含むＣＯ２回収方法。
【請求項５】
前記酸性水製造工程は、酸性水の水量を測定する工程と、酸性水のｐＨ値を測定する工程と、前記水量とｐＨの測定値に基づいて排ガスと水との接触を制御して酸性水の水量とｐＨを調整する工程と、を含む請求項４記載のＣＯ２回収方法。
【請求項６】
前記除去工程は、酸性水を循環させて脱炭酸排ガスと接触させる循環工程と、循環する酸性水のｐＨ値を測定する工程と、前記ｐＨの測定値に基づいて前記循環する酸性水へ新たな酸性水を供給する工程と、前記新たな酸性水の供給量を測定する工程と、前記ｐＨの測定値に基づいて前記新たな酸性水の供給量を制御する工程と、を含む請求項５記載のＣＯ２回収方法。
【国際調査報告】
2014061471.tif 000006
2014061471.tif 000007
2014061471.tif 000008
2014061471.tif 000009